(57)【要約】【課題】空気の相対湿度を下げ、空気の導熱エネルギー力を高めることにより、放熱効果を更に高める放熱モジュールを提供する。【解決手段】放熱モジュールは、主に一組の放熱フィン、温度制御ファン及び除湿ユニットを含む。そのうち，除湿ユニットは、温度制御ファンと放熱フィンの間に設置する多孔性合成シリカゲル分子篩もしくは除湿剤もしくは乾燥剤とする。空気が温度制御ファン作用によって除湿ユニットを通過した時、除湿ユニットの作用によって空気中の水分を分離して取り除く。【選択図】図２
0003143316.tif 000002
【実用新案登録請求の範囲】
【請求項１】
放熱モジュールにおいて、
熱源体と接触させる一放熱フィンと、
発生した放熱フィンの気流を通過する一温度制御ファンと、
温度制御ファンと放熱フィンの間に相対して設置し、通過した空気を除湿する一除湿ユニットを含むことを特徴とする放熱モジュール。
【請求項２】
前記除湿ユニットは、多孔性合成シリカゲル分子篩もしくは除湿剤もしくは乾燥剤であることを特徴とする請求項１記載の放熱モジュール。
【請求項３】
前記除湿ユニットは、片状もしくは筋状もしくは管状であることを特徴とする請求項１記載の放熱モジュール。
【請求項４】
前記放熱フィンは、高導熱はんだで更に一基板上に溶接することを特徴とする請求項１記載の放熱モジュール。
【考案の詳細な説明】
【技術分野】
【０００１】
本考案は、放熱モジュールに関するもので、特に空気の相対湿度を有効に下げ、更に放熱効率を大幅に上げる放熱モジュールに係る。
【背景技術】
【０００２】
ＧＰＵの高速化に伴い、製造工程及びパッケージ技術だけに頼り、またＧＰＵ自体では放熱ができないことから、チップの長時間作業が安定するため、チップに放熱モジュールをパッケージングするのは避けられないことである。図１に示すのは、一種チップ(例としてＧＰＵ)の通常の公知放熱モジュールであり、この放熱モジュール主に一組の放熱フィン１１及び一個の温度制御ファン１２から構成される。
【０００３】
上述の公知放熱モジュールの放熱原理は、放熱フィン１１が直接熱源体２０(即ち図に示すチップ)と接触し、放熱フィン１１と熱源体２０の間に熱伝導作用が発生することにより、熱源体２で発生した熱を放熱フィン１１伝導し、温度制御ファン１２が発した気流と放熱フィン１１の間に発した熱を熱対流作用で交換することにより、放熱フィン１１の熱の排出を加速し、熱源体２０との間に発生した熱の伝導作用を継続することにより、熱源体２０の熱を下げる目的を達成する。
【０００４】
現在、業界での放熱モジュールの処理は、既に過去ほどではないものの、放熱モジュールの放熱効率を向上させることがなかなかできないでいる。原因は、現在の放熱モジュール技術は熱伝導効率にだけ拘り、空気湿度が放熱効率に与える影響について認識していないことにある。
【０００５】
相対湿度は、空気もしくは気流の含水量を表すもので、相対湿度が低い乾燥した空気は、相対湿度が高い湿った空気より放熱効果が高い。また熱源体及び放熱フィンの熱エネルギーは、周囲の空気に含まれる水蒸気を蒸発させるため、通過する放熱フィンの空気は放熱フィンの温度を下げる能力に相対し、当然該気流内に存在する水分の量によって決まる。
【考案の開示】
【考案が解決しようとする課題】
【０００６】
解決しようとする問題点は、一般の電気装置内の熱源体は電気装置の本体フレームに覆われているため、関連の放熱機構が運転している時、本体フレーム外部の空気と対流作用が発生する。しかし、本体フレームは内部の熱源体の熱エネルギーが継続して作用することにより、本体フレーム内部の温度制御ファン周囲の空気の相対湿度を下げることができず、放熱フィンもしくは熱源体を通過する気流の含水量が相対して高くなり(つまり相対湿度が高くなる)、そのため放熱モジュール全体の放熱効率を高めることができない点である。
【課題を解決するための手段】
【０００７】
本考案は、主に一組の放熱フィン、一温度制御ファン及び一除湿ユニットを含む。そのうち，除湿ユニットは、温度制御ファンと放熱フィンの間に設置する多孔性合成シリカゲル分子篩もしくは除湿剤もしくは乾燥剤とする。空気が温度制御ファン作用によって除湿ユニットを通過した時、除湿ユニットの作用によって空気中の水分を分離して取り除くことを最も主要な特徴とする。
【考案の効果】
【０００８】
本考案の放熱モジュールは、下述の利点がある。
効果一は、除湿ユニットを通過した空気の相対湿度を下げ、空気の導熱エネルギー力を高めて更に放熱効率を向上させる。
効果二は、放熱フィンもしくは熱源体を通過した気流の水分吸收能力を高めると、相対して放熱フィンの間の水分を下げ、埃の付着を減らして放熱フィンを良好な使用状態に保つ。
効果三は、空気が除湿ユニットを通過する過程に於いて、除湿ユニットを通過した気流に対してろ過作用が発生し、相対して放熱フィンに進入する埃の比率を減らす。
【考案を実施するための最良の形態】
【０００９】
有効に空気の相対湿度を下げて放熱効率を大幅に高める放熱モジュールを提供することを本考案の主な目的とする。
【００１０】
上述の目的のため、本考案の放熱モジュールは、主に一組の放熱フィン、一温度制御ファン及び一除湿ユニットを含む。そのうち，除湿ユニットは、温度制御ファンと放熱フィンの間に設置し、それは多孔性合成シリカゲル分子篩、除湿剤、乾燥剤もしくは乾燥片とする。空気が温度制御ファン作用によって除湿ユニットを通過すると、除湿ユニットの作用によって放熱装置の熱源を獲得し、物理除湿方式によって空気中の水分を分解して取り除き、空気の相対湿度を下げる。
【実施例１】
【００１１】
図２から図５に示すとおり、本考案の放熱モジュールは、一組の放熱フィン１１、一温度制御ファン１２及び一除湿ユニット１３を含む。そのうち、
【００１２】
該放熱フィン１１は、熱源体２０と接触し、放熱フィン１１と熱源体２０の間に発生した熱伝導作用により、熱源体２０が発した熱エネルギーを放熱フィン１１へ伝える。該温度制御ファン１２は、放熱フィン１１を通過して起こした気流によって、温度制御ファン１２が発した気流と放熱フィン１１の間に発した熱エネルギーを交換した熱対流作用により、放熱フィン１１の熱エネルギー排出を加速し、熱源体２０との間に発した熱伝導作用を継続することによって、熱源体２０の温度を下げる目的を達成する。
【００１３】
除湿ユニット１３は、温度制御ファン１２と放熱フィン１１の間に相対して設置し、通過する空気に対して除湿し、空気中に含まれる水分を分離して取り除き、空気の相対湿度を下げる。具体的に実施する場合、除湿ユニット１３は、多孔性合成シリカゲル分子篩、除湿剤、乾燥剤もしくは乾燥片を用い、更に片状（図５参照）、筋状もしくは管状（図４参照）の構造とする。
【００１４】
本考案の放熱モジュールを使用する時、第四図に示すとおり、空気が温度制御ファン１２の作用によって除湿ユニット１３を通過し、更に除湿ユニット１３の作用により、放熱装置の熱源を得て，物理除湿方式によって空気中の水分を分解して取り除き、空気の相対湿度を下げ、空気の導熱エネルギー力を高めることによって、更に熱源体２０の放熱効率を向上させる。
【００１５】
特に放熱モジュール全体は、放熱フィン１１もしくは熱源体２０を通過した気流の水分吸収能力を高めると、相対して放熱フィン１１の間の水気を下げ、埃の付着を減らし、更に空気が除湿ユニット１３を通過する過程に於いて、除湿ユニット１３を通過した気流にろ過作用が発生し、放熱フィン１１に進入する埃の比率を減らし、更に放熱フィン１１を良好な使用状態に保つ。
【００１６】
この他、放熱フィン１１高導熱はんだ３０を利用して、更に一基板１１１上に溶接し、熱源体２０は基板１１１、高導熱はんだ３０を通して熱源導を放熱フィン１１へ伝導する。
【００１７】
上述のとおり、本考案は、良好で実施可能な一放熱モジュールを提供し、実用新案登録を請求する。本考案の技術内容及び技術特徴は上述したとおりであるが、本領域に習熟した者が本考案の提示を基にして本考案の精神に乖離しない各種の入れ替え、修飾を実施する可能性もある。本考案の保護範囲は、実施例に提示したものに制限されず、本考案に乖離しない入れ替え及び修飾はすべて本考案の請求範囲に属する。
【図面の簡単な説明】
【００１８】
【図１】一般公知の放熱モジュールの構造指示図である。
【図２】本考案の放熱モジュール外観立体図である。
【図３】本考案の放熱モジュール構造分解図である。
【図４】本考案の放熱モジュール動作指示図である。
【図５】本考案の別の一放熱モジュール構造断面図である。
【符号の説明】
【００１９】
１１        放熱フィン
１１１      基板
１２        温度制御ファン
１３        除湿ユニット
２０        熱源体
３０        高導熱はんだ
【図１】
0003143316.tif 000003
【図２】
0003143316.tif 000004
【図３】
0003143316.tif 000005
【図４】
0003143316.tif 000006
【図５】
0003143316.tif 000007